(57)【要約】      （修正有）【課題】放熱効果が高いグラフィックカードの放熱装置を提供する。【解決手段】グラフィックカードの放熱装置は、グラフィックカード４の電源供給回路４１に設けられた空気冷却装置１と、グラフィックカード４の中央処理装置４２に設けられた空気冷却２と、水冷却装置２に隣り合うグラフィックカード４の側に設けられたサポート部品３と、からなる。また、サポート部品３及び中央処理装置４２の位置に対応して開口部３１を形成するとともに、開口部３１と反対の方向に沿ってグラフィックカード４の記憶媒体４３に延伸して形成された延伸部３２を形成する。使用時は空気冷却装置１によって電源供給回路４１に放熱を行い、また、水冷却装置２によって中央処理装置４２に放熱を行い、さらに、サポート部品３と延伸部３２及び水冷却装置２は協働して記憶媒体４３に放熱を行い、これによって放熱効果を増進させ性能を高めることができる。【選択図】図２
0003213430.tif 000002
【実用新案登録請求の範囲】
【請求項１】
少なくとも一つの空気冷却装置と、少なくとも一つの水冷却装置と、少なくとも一つのサポート部品と、からなるグラフィックカードの放熱装置であって、
前記空気冷却装置は一つのグラフィックカードの少なくとも一つの電源供給回路に設けられ、
前記水冷却装置は前記空気冷却装置側に設けられ、且つ前記グラフィックカードの中央処理装置に設けられ、
前記サポート部品は、前記水冷却装置における前記グラフィックカードに隣接する側に設けられ、且つ前記水冷却装置及び前記中央処理装置の位置に対応して少なくとも一つの開口部を形成するとともに、前記開口部と反対の方向に延伸して少なくとも一つの延伸部を形成し、前記延伸部は前記グラフィックカードの記憶媒体に設けられることを特徴とするグラフィックカードの放熱装置。
【請求項２】
前記空気冷却装置は、前記電源供給回路に設けられた少なくとも一つの放熱フィンと、前記放熱フィンに設けられた少なくとも一つのファンセットと、からなることを特徴とする、請求項１に記載のグラフィックカードの放熱装置。
【請求項３】
前記水冷却装置は、前記中央処理装置に設けられた少なくとも一つの熱交換ケースと、前記熱交換ケースに設けられた少なくとも一つのポンプと、前記熱交換ケース及び前記ポンプの間に形成された少なくとも一つの貯液空間と、前記貯液空間と連設された少なくとも一つの入液管と、前記貯液空間と連設された少なくとも一つの出液管と、からなることを特徴とする、請求項１に記載のグラフィックカードの放熱装置。
【請求項４】
前記熱交換ケースは延伸して、少なくとも一つの拡張部を形成し、且つ前記拡張部には複数個の第一装着部が形成され、また、前記熱交換ケースを前記グラフィックカードに固定させるために、前記サポート部品には、各前記第一装着部の位置に対応して複数個の第二装着部が形成されることを特徴とする、請求項３に記載のグラフィックカードの放熱装置。
【請求項５】
前記熱交換ケースにおける前記中央処理装置に隣接する側に少なくとも一つの熱交換部を備えることを特徴とする、請求項３に記載のグラフィックカードの放熱装置。
【請求項６】
前記熱交換部は銅材質を含むことを特徴とする、請求項５に記載のグラフィックカードの放熱装置。
【請求項７】
前記サポート部品は銅材質を含むことを特徴とする、請求項１に記載のグラフィックカードの放熱装置。
【請求項８】
前記サポート部品及び前記延伸部はプレス加工の方法によって一体成形することを特徴とする、請求項１に記載のグラフィックカードの放熱装置。
【考案の詳細な説明】
【技術分野】
【０００１】
本考案は、グラフィックカードの放熱装置に関し、特に放熱効果を高め機能を向上させられるグラフィックカードの放熱装置に関する。
【背景技術】
【０００２】
各種電子機器は使用時に電流の流れや、電流の抵抗などの要素のため熱エネルギーが生じ、且つこの熱エネルギーは電子機器の性能を低下させるだけでなく、更に電子機器の故障を引き起こす可能性があり、火災の発生を招く可能性さえあるため、電子機器にとって温度を下げることは非常に重要な課題である。
【０００３】
その内、一般的なコンピューターでよく見られる独立したグラフィックカードは従来の放熱パーツを取り付ける。従来の放熱パーツは、グラフィックチップに設けられた一つの放熱フィンと、放熱フィンに設けられた一つのファンと、からなり、放熱フィンによってグラフィックチップの熱エネルギーを吸収した後、ファンによって空気を放熱フィンと接触させて熱エネルギーを放出させる。
【０００４】
しかしながら、従来の放熱パーツが提供できる放熱効果だけでは不十分であり、また独立したグラフィックカードはグラフィックチップ以外にも更に多くの部品が発熱するのであるが、従来の放熱パーツはその他の部品の放熱が行えず、そのため独立したグラフィックカードの性能の低下が発生するという事情がある。
【考案の概要】
【考案が解決しようとする課題】
【０００５】
本考案は、放熱の能力を強化することによって、グラフィックカードの効果を最大限に発揮させることを目的とする。
【課題を解決するための手段】
【０００６】
上記の目的を達成するため、本考案は、グラフィックカードの電源供給回路に設けられた少なくとも一つの空気冷却装置と、空気冷却装置の側に設けられ且つグラフィックカードの中央処理装置に設けられた少なくとも一つの水冷却装置と、水冷却装置におけるグラフィックカードに隣接した側に設けられた少なくとも一つのサポート部品と、サポート部品と水冷却装置及び中央処理装置の位置に対応して形成される少なくとも一つの開口部と、開口部の方向と反対側に延伸して形成された少なくとも一つの延伸部と、からなり、延伸部はグラフィックカードの記憶媒体に設けられる。
【図面の簡単な説明】
【０００７】
【図１】本考案の好ましい実施例の構造概略図である。
【図２】本考案の好ましい実施例の分解概略図（一）である。
【図３】本考案の好ましい実施例の分解概略図（二）である。
【図４】本考案の好ましい実施例の作動概略図である。
【考案を実施するための形態】
【０００８】
図１から図３を参照する。図１から図３はそれぞれ、本考案の好ましい実施例の構造概略図、分解概略図（一）、分解概略図（二）である。図からはっきり分かるように、本考案は、少なくとも一つの空気冷却装置１と、少なくとも一つの水冷却装置２と、少なくとも一つのサポート部品３と、からなり、空気冷却装置１は一つのグラフィックカード４の少なくとも一つの電源供給回路４１に設けられ、また、空気冷却装置１は、電源供給回路４１に設けられた少なくとも一つの放熱フィン１１と、放熱フィン１１に設けられた少なくとも一つのファンセット１２と、からなる。
【０００９】
水冷却装置２は空気冷却装置１の側に設けられ、且つグラフィックカード４の中央処理装置４２に設けられ、また水冷却装置２は、中央処理装置４２に設けられた少なくとも一つの熱交換ケース２１と、熱交換ケース２１に設けられた少なくとも一つのポンプ２２と、熱交換ケース２１及びポンプ２２の間に形成された少なくとも一つの貯液空間と、貯液空間と連設された少なくとも一つの入液管２３と、貯液空間と連設された少なくとも一つの出液管２４と、からなり、その内熱交換ケース２１における中央処理装置４２に隣接した側に、銅材質を含む少なくとも一つの熱交換部２１３を備える。
【００１０】
サポート部品３は、水冷却装置２におけるグラフィックカード４に隣接した側に設けられ、且つ水冷却装置２及び中央処理装置４２の位置に対応する所に少なくとも一つの開口部３１を形成し、また開口部３１と反対側の方向に延伸して少なくとも一つの延伸部３２を形成し、また延伸部３２はグラフィックカード４の記憶媒体４３に設けられる。またサポート部品３及び開口部３１及び延伸部３２はプレス加工の方法によって一体成形するため生産が速く安価であり、さらにサポート部品３は銅材質を含み、この外に、生産時にもし複数個のグラフィックカード４の記憶媒体４３の位置が互い違いに異なる場合、延伸部３２の延伸範囲をその記憶媒体４３との位置に合わせて変えるだけでよく、空気冷却装置１及び水冷却装置２は共に用いることが可能であり、さらに生産がしやすくコストを下げることが可能である。
【００１１】
熱交換ケース２１は、延伸して形成された少なくとも一つの拡張部２１１と、且つ拡張部２１１には複数個の第一装着部２１２が形成され、熱交換ケース２１をグラフィックカード４上に固定させるために、サポート部品３及び各前記第一装着部２１２の位置に対応して複数個の第二装着部３３が形成される。なお、上記は本考案の内の一実施態様に過ぎず、その態様はこれに限られるものではない。
【００１２】
図１から図４を同時に参照する。図１から図４はそれぞれ、本考案の好ましい実施例の構造概略図、分解概略図（一）、分解概略図（二）、作動概略図であり、空気冷却装置１は電源供給回路４１に設けられるため、放熱フィン１１によってグラフィックカード４の電源供給回路４１の熱エネルギーを吸収することが可能であり、またファンセット１２によって周囲の空気を放熱フィン１１と接触させ、その熱エネルギーを放出させる。
【００１３】
水冷却装置２はその熱交換ケース２１の熱交換部２１３によって、サポート部品３の開口部３１を突き抜け、中央処理装置４２に接触して熱エネルギーを吸収し、且つポンプ２２が作動して液体を入液管２３から貯液空間に吸入してから出液管２４から流出させ、このようにして熱交換ケース２１の熱エネルギーを放出する。サポート部品３及び延伸部３２は記憶媒体４３に接触して熱エネルギーを吸収し、且つ熱交換ケース２１及び拡張部２１１を通して液体に伝えて、熱エネルギーを放出させる。
【００１４】
以上により全面的に放熱効果の目的を促進し、グラフィックカード４の性能を高めることが可能である。
【００１５】
したがって、本考案のグラフィックカード４の放熱装置において、従来の技術を改善することが可能なポイントは以下の点である。
一、空気冷却装置１と、水冷却装置２と、サポート部品３と、開口部３１と、延伸部３２とを、組み合わせて設置することによって、本考案は放熱効果を増進させ性能を高めるという実用進歩性を達成する。
二、サポート部品３と、開口部３１と、延伸部３２とを、一体成形する構造、且つ延伸範囲を変えて調整することができる特性によって、本考案は生産がしやすく且つ迅速であり、コストを下げることが可能であるという実用進歩性を達成する。
【符号の説明】
【００１６】
１      空気冷却装置
１１    放熱フィン
１２    ファンセット
２      水冷却装置
２１    熱交換ケース
２１１  拡張部
２１２  第一装着部
２１３  熱交換部
２２    ポンプ
２３    入液管
２４    出液管
３      サポート部品
３１    開口部
３２    延伸部
３３    第二装着部
４      グラフィックカード
４１    電源供給回路
４２    中央処理装置
４３    記憶媒体
【図１】
0003213430.tif 000003
【図２】
0003213430.tif 000004
【図３】
0003213430.tif 000005
【図４】
0003213430.tif 000006